(57)【要約】【課題】  無線ＬＡＮにおけるマルチキャストパケット送信やブロードキャストパケット送信の際に、伝送するデータパケットに無線ＬＡＮ通信システム状態情報が含まれる場合、無線パケット再送制御を行うことにより、無線ＬＡＮ通信システム状態情報を確実に無線送信先へ伝送する。【解決手段】  無線ＬＡＮ通信システムに用いられる無線アクセスポイント装置３００は、入力されたデータパケットのうち無線ＬＡＮ通信システム状態情報を含むデータパケットを認識し、この無線ＬＡＮ通信システム状態情報が、無線パケット通信端末４００へ繰り返し送信すべきか否かを判定する。繰り返し送信すべき無線ＬＡＮ通信システム状態情報であると判定した場合は、該無線ＬＡＮ通信システム状態情報を内部に保持する。そして、内部に保持している前記無線ＬＡＮ通信システム状態情報を、データパケットとして無線区間に対して繰り返し送信する。【選択図】      図１
2005167776.tif 000002
【特許請求の範囲】
【請求項１】
無線パケット通信端末と、前記無線パケット通信端末とは無線区間を介して接続される無線アクセスポイント装置とからなる無線ＬＡＮ通信システムに用いられる無線アクセスポイント装置であって、
外部から入力されたデータパケットのうち無線ＬＡＮ通信システム状態情報を含むデータパケットを認識するパケット認識手段と、
前記無線ＬＡＮ通信システム状態情報が、前記無線パケット通信端末へ繰り返し送信すべき無線ＬＡＮ通信システム状態情報であるか否かを判定する判定手段と、
前記判定手段が、前記無線ＬＡＮ通信システム状態情報が前記無線パケット通信端末へ繰り返し送信すべき無線ＬＡＮ通信システム状態情報であると判定した場合に、該無線ＬＡＮ通信システム状態情報を内部に保持する情報保持手段と、
内部に保持している前記無線ＬＡＮ通信システム状態情報を、データパケットとして前記無線区間に対して繰り返し送信する送信手段と、
を備えることを特徴とする無線アクセスポイント装置。
【請求項２】
外部から入力された前記データパケットに含まれる前記無線ＬＡＮ通信システム状態情報が、内部に保持している無線ＬＡＮ通信システム状態情報と異なっている場合、内部に保持している無線ＬＡＮ通信システム状態情報を、外部から入力された前記データパケットに含まれる無線ＬＡＮ通信システム状態情報に更新する情報更新手段、
をさらに備えることを特徴とする請求項１に記載の無線アクセスポイント装置。
【請求項３】
無線パケット通信端末と、前記無線パケット通信端末とは無線区間を介して接続される無線アクセスポイント装置とからなる無線ＬＡＮ通信システムの無線アクセスポイント装置に用いられる無線パケット通信方法であって、
外部から入力されたデータパケットのうち無線ＬＡＮ通信システム状態情報を含むデータパケットを認識するパケット認識過程と、
前記無線ＬＡＮ通信システム状態情報が、前記無線パケット通信端末へ繰り返し送信すべき無線ＬＡＮ通信システム状態情報であるか否かを判定する判定過程と、
前記判定過程において前記無線ＬＡＮ通信システム状態情報が前記無線パケット通信端末へ繰り返し送信すべき無線ＬＡＮ通信システム状態情報であると判定された場合に、該無線ＬＡＮ通信システム状態情報を内部に保持する情報保持過程と、
内部に保持している前記無線ＬＡＮ通信システム状態情報を、データパケットとして前記無線区間に対して繰り返し送信する送信過程と、
からなることを特徴とする無線パケット通信方法。
【請求項４】
外部から入力された前記データパケットに含まれる前記無線ＬＡＮ通信システム状態情報が、内部に保持している無線ＬＡＮ通信システム状態情報と異なっている場合、内部に保持している無線ＬＡＮ通信システム状態情報を、外部から入力された前記データパケットに含まれる無線ＬＡＮ通信システム状態情報に更新する情報更新過程と、
からなることを特徴とする請求項３に記載の無線パケット通信方法。
【発明の詳細な説明】
【技術分野】
【０００１】
本発明は、無線アクセスポイント装置及び無線パケット通信方法に関する。
【背景技術】
【０００２】
図３は従来の無線ＬＡＮ（Local Area Network）通信システムの接続構成例と、この無線ＬＡＮ通信システムに用いられる無線アクセスポイント装置９００の構成を示すブロック図である。同図に示すように無線ＬＡＮ通信システムは、システム制御装置１００、システム制御装置１００と有線区間２００で接続された無線アクセスポイント装置９００、及び、無線アクセスポイント装置９００と無線区間で接続される無線パケット通信端末４００により構成される。無線ＬＡＮ通信システムによっては、システム制御装置１００と無線アクセスポイント装置９００が一つの筐体に収容されていることもある。
無線アクセスポイント装置９００は、制御回路９０５、有線区間接続端子９１０、有線区間インタフェース回路９１５、無線データ処理回路９２０、無線インタフェース回路９２５、無線送受信機９３０、及び、アンテナ９３５から構成される。
このように構成される無線アクセスポイント装置９００において、有線区間２００に接続される有線区間接続端子９１０から入力されたデータパケットは、有線区間インタフェース回路９１５により通信速度の整合等が行われる。続いて、無線データ処理回路９２０においてデータパケットの認識や無線パケット通信に必要な誤り制御符号化等が行われ、無線インタフェース回路９２５において無線パケット送信に必要なタイミング処理等が行われる。その後、無線送受信機９３０において変調され、送信周波数にアップコンバートされて、アンテナ９３５より送信される。制御回路９０５は、接続される各回路および無線送受信機９３０に対する動作制御を行うなど全体の動作を制御する。
【０００３】
一方、非特許文献１には、無線ＬＡＮ通信システムにおいて、無線アクセスポイント装置から無線パケット通信端末に対して、マルチキャストパケット送信やブロードキャストパケット送信を用いて無線ＬＡＮ通信システム状態情報を伝送することが記載されている。
【非特許文献１】ANSI/IEEE Standard 802.11、「Wireless LAN Medium Access Control (MAC) and Physical Layer (PHY) Specifications（無線ＬＡＮミディアムアクセスコントロール及び物理レイヤ仕様）」、1999 Edition、9.2.7節「Broadcast and multicast MPDU transfer procedure（ブロードキャスト及びマルチキャストＭＰＤＵ転送手順）」
【発明の開示】
【発明が解決しようとする課題】
【０００４】
上述するように、有線区間接続端子から入力したデータパケットは、無線パケットとしてアンテナから無線区間に送信されるが、無線区間においては無線伝搬状態が悪化するなどの理由により無線パケットに誤りを生じる可能性がある。しかし、無線アクセスポイント装置が無線パケット誤り対策用の無線パケット再送制御を行わないプロトコルを用いてデータパケットを送信した場合、このデータパケットは１度しか無線区間に送信されないため、無線パケット通信端末へ正常に伝送できない状態が発生する。
一方、非特許文献１に示すように、無線ＬＡＮにおいては、マルチキャストパケット送信やブロードキャストパケット送信によりＵＤＰ（User Datagram protocol）を用いて無線ＬＡＮ通信システム状態情報を伝送している。このマルチキャストパケット送信やブロードキャストパケット送信によるＵＤＰを用いたプロトコルは、プロトコルスタックにおけるトランスポートレイヤなどのレイヤにおいてデータパケットの再送制御を行わない。従って、無線パケットに誤りが生じた場合、無線ＬＡＮ通信システム状態情報を確実に無線パケット通信端末に伝送することができない。
【０００５】
この発明は、このような事情を考慮してなされたもので、その目的は、無線ＬＡＮにおけるマルチキャストパケット送信やブロードキャストパケット送信の際に、伝送するデータパケットに無線ＬＡＮ通信システム状態情報が含まれる場合、無線アクセスポイント装置が無線パケット再送制御を行うことにより、無線ＬＡＮ通信システム状態情報を確実に無線送信先へ伝送することのできる無線アクセスポイント装置及び無線パケット通信方法を提供することにある。
【課題を解決するための手段】
【０００６】
この発明は、上記の課題を解決すべくなされたもので、請求項１に記載の発明は、無線パケット通信端末と、前記無線パケット通信端末とは無線区間を介して接続される無線アクセスポイント装置とからなる無線ＬＡＮ通信システムに用いられる無線アクセスポイント装置であって、外部から入力されたデータパケットのうち無線ＬＡＮ通信システム状態情報を含むデータパケットを認識するパケット認識手段と、前記無線ＬＡＮ通信システム状態情報が、前記無線パケット通信端末へ繰り返し送信すべき無線ＬＡＮ通信システム状態情報であるか否かを判定する判定手段と、前記判定手段が、前記無線ＬＡＮ通信システム状態情報が前記無線パケット通信端末へ繰り返し送信すべき無線ＬＡＮ通信システム状態情報であると判定した場合に、該無線ＬＡＮ通信システム状態情報を内部に保持する情報保持手段と、内部に保持している前記無線ＬＡＮ通信システム状態情報を、データパケットとして前記無線区間に対して繰り返し送信する送信手段と、を備えることを特徴とする無線アクセスポイント装置である。
【０００７】
また、請求項２に記載の発明は、請求項１に記載の無線アクセスポイント装置であって、外部から入力された前記データパケットに含まれる前記無線ＬＡＮ通信システム状態情報が、内部に保持している無線ＬＡＮ通信システム状態情報と異なっている場合、内部に保持している無線ＬＡＮ通信システム状態情報を、外部から入力された前記データパケットに含まれる無線ＬＡＮ通信システム状態情報に更新する情報更新手段、をさらに備えることを特徴とする。
【０００８】
また、請求項３に記載の発明は、無線パケット通信端末と、前記無線パケット通信端末とは無線区間を介して接続される無線アクセスポイント装置とからなる無線ＬＡＮ通信システムの無線アクセスポイント装置に用いられる無線パケット通信方法であって、外部から入力されたデータパケットのうち無線ＬＡＮ通信システム状態情報を含むデータパケットを認識するパケット認識過程と、前記無線ＬＡＮ通信システム状態情報が、前記無線パケット通信端末へ繰り返し送信すべき無線ＬＡＮ通信システム状態情報であるか否かを判定する判定過程と、前記判定過程において前記無線ＬＡＮ通信システム状態情報が前記無線パケット通信端末へ繰り返し送信すべき無線ＬＡＮ通信システム状態情報であると判定された場合に、該無線ＬＡＮ通信システム状態情報を内部に保持する情報保持過程と、内部に保持している前記無線ＬＡＮ通信システム状態情報を、データパケットとして前記無線区間に対して繰り返し送信する送信過程と、からなることを特徴とする無線パケット通信方法である。
【０００９】
また、請求項４に記載の発明は、請求項３に記載の無線パケット通信方法であって、外部から入力された前記データパケットに含まれる前記無線ＬＡＮ通信システム状態情報が、内部に保持している無線ＬＡＮ通信システム状態情報と異なっている場合、内部に保持している無線ＬＡＮ通信システム状態情報を、外部から入力された前記データパケットに含まれる無線ＬＡＮ通信システム状態情報に更新する情報更新過程と、からなることを特徴とする。
【発明の効果】
【００１０】
本発明によれば、無線アクセスポイント装置は、外部から入力されたデータパケットが無線パケット通信端末へ繰り返し送出すべき無線ＬＡＮ通信システム状態情報を含んでいると判定した場合に、この無線ＬＡＮ通信システム状態情報を内部に保持する。そして、内部に保持している無線ＬＡＮ通信システム状態情報を、データパケットとして無線パケット通信端末へ繰り返し無線送信することにより、再送手順をサポートしていないプロトコルを用いて送信したデータパケットに誤りが生じた場合でも、無線ＬＡＮ通信システム状態情報を無線パケット通信端末へ確実に伝送できるという効果が得られる。
【発明を実施するための最良の形態】
【００１１】
以下、図面を参照し、この発明の実施の形態について説明する。
図１は、本発明の一実施の形態による無線ＬＡＮ（Local Area Network）通信システムの構成を示すブロック図である。この図において、図３に示す従来の無線ＬＡＮシステムと同一の部分には同一の符号を付している。
同図において、無線ＬＡＮ通信システムは、システム制御装置１００、システム制御装置１００と有線区間２００で接続された無線アクセスポイント装置３００、及び、無線アクセスポイント装置３００と無線ＬＡＮによる無線インタフェースで接続される無線パケット通信端末４００により構成される。なお、システム制御装置１００と無線アクセスポイント装置３００とが一つの筐体に収容される構成としてもよい。
【００１２】
システム制御装置１００は、有線区間２００を介して無線アクセスポイント装置３００へデータパケットを送信する。
無線パケット通信端末４００は、無線アクセスポイント装置３００から無線により送信されたデータパケット（無線パケット）を受信し、この無線パケット内の情報を各種制御やアプリケーションなどで利用する。なお、無線ＬＡＮ通信システム状態情報は、マルチキャストパケット送信やブロードキャストパケット送信によりＵＤＰ（User Datagram protocol）を用いて送信され、プロトコルスタックにおけるトランスポートレイヤなどのレイヤにおいてデータパケットの再送制御は行われない。
【００１３】
無線アクセスポイント装置３００は、制御回路３０５、有線区間接続端子３１０、有線区間インタフェース回路３１５、無線データ処理回路３２０、無線ＬＡＮ通信システム状態情報判別回路（パケット認識手段、判定手段）３２５、無線ＬＡＮ通信システム状態情報比較回路（情報更新手段）３３０、無線ＬＡＮ通信システム状態情報保持回路（情報保持手段）３３５、無線ＬＡＮ通信システム状態情報送信制御回路（送信手段）３４０、無線インタフェース回路３４５、無線送受信機３５０、及び、アンテナ３５５から構成される。
【００１４】
このように構成される無線アクセスポイント装置３００において、有線区間２００に接続される有線区間接続端子３１０から入力されたデータパケットは、有線区間インタフェース回路３１５により通信速度の整合等が行われる。続いて、無線データ処理回路３２０においてデータパケットの認識や無線パケット通信に必要な誤り制御符号化等が行われ、無線インタフェース回路３４５において無線パケット送信に必要なタイミング処理等が行われる。その後、無線送受信機３５０において変調され、送信周波数にアップコンバートされて、アンテナ３５５より送信される。制御回路３０５は、接続される各回路および無線送受信機３５０に対する動作制御を行う。
【００１５】
そして、無線データ処理回路３２０において有線区間接続端子３１０から入力されたデータパケットの認識を行った結果、無線ＬＡＮ通信システム状態情報を含むパケット種別のデータパケットである場合には、無線ＬＡＮ通信システム状態情報判別回路３２５に入力される。無線ＬＡＮ通信システム状態情報判別回路３２５は、データパケットが無線ＬＡＮ通信システム状態情報を含むか否かを判別する。
無線ＬＡＮ通信システム状態情報判別回路３２５は、入力データパケットが無線ＬＡＮ通信システム状態情報を含まないと判断した場合、あるいは、入力データパケットに含まれる無線ＬＡＮ通信システム状態情報が無線パケット通信端末４００へ繰り返し送信する必要がない、すなわち、無線ＬＡＮ通信システム状態情報保持回路３３５に保持すべき無線ＬＡＮ通信システム状態情報ではないと判断した場合、制御回路３０５に対して該入力データパケットをそのまま無線区間へ無線送信する指示を行う。また、無線ＬＡＮ通信システム状態情報判別回路３２５は、入力データパケットが無線ＬＡＮ通信システム状態情報を含み、かつ、該無線ＬＡＮ通信システム状態情報が、無線パケット通信端末４００へ繰り返し送信するために無線ＬＡＮ通信システム状態情報保持回路３３５に保持すべきであると判断した場合は、該無線ＬＡＮ通信システム状態情報を無線ＬＡＮ通信システム状態情報比較回路３３０へ送出する。
【００１６】
無線ＬＡＮ通信システム状態情報比較回路３３０は、無線ＬＡＮ通信システム状態情報判別回路３２５から入力された無線ＬＡＮ通信システム状態情報と、無線ＬＡＮ通信システム状態情報保持回路３３５に保持している無線ＬＡＮ通信システム状態情報との比較を行う。比較した結果、入力された無線ＬＡＮ通信システム状態情報と無線ＬＡＮ通信システム状態情報保持回路３３５に保持している無線ＬＡＮ通信システム状態情報とが異なると判断した場合、無線ＬＡＮ通信システム状態情報保持回路３３５に保持している無線ＬＡＮ通信システム状態情報を、入力された無線ＬＡＮ通信システム状態情報に更新するための無線ＬＡＮ通信システム状態情報保持制御を行う。また、比較した結果、入力された無線ＬＡＮ通信システム状態情報と、無線ＬＡＮ通信システム状態情報保持回路３３５に保持している無線ＬＡＮ通信システム状態情報とが一致していると判断した場合、無線ＬＡＮ通信システム状態情報比較回路３３０は、入力された無線ＬＡＮ通信システム状態情報を破棄する。
【００１７】
無線ＬＡＮ通信システム状態情報保持回路３３５は、無線ＬＡＮ通信システム状態情報比較回路３３０からの無線ＬＡＮ通信システム状態情報保持制御に従い、無線ＬＡＮ通信システム状態情報を保持する。
無線ＬＡＮ通信システム状態情報送信制御回路３４０は、予め設定されたタイミング毎に周期的に、無線ＬＡＮ通信システム状態情報保持回路３３５内に保持している無線ＬＡＮ通信システム状態情報を、データパケットとして無線パケット通信端末４００へ無線送信するための指示を制御回路３０５に対して行う。
【００１８】
図２は、同実施の形態による無線パケット通信方法の処理手順の流れ図を示している。
無線アクセスポイント装置３００において、有線区間２００からデータパケットが入力されると（ステップＳ１０）、データパケット内に無線ＬＡＮ通信システム状態情報を含むか否かを判断する（ステップＳ１５）。データパケット内に無線ＬＡＮ通信システム状態情報が含まれない場合、そのままデータパケットを無線送信する（ステップＳ２０）。
ステップＳ１５において、データパケット内に無線ＬＡＮ通信システム状態情報が含まれていると判断した場合、該無線ＬＡＮ通信システム状態情報が、無線ＬＡＮ通信システム状態情報保持回路３３５に保持すべき無線ＬＡＮ通信システム状態情報か否かを判断する（ステップＳ２５）。無線ＬＡＮ通信システム状態情報保持回路３３５に保持すべき無線ＬＡＮ通信システム状態情報ではないと判断した場合、データパケットを無線送信する（ステップＳ２０）。
【００１９】
ステップＳ２５において、無線ＬＡＮ通信システム状態情報保持回路３３５に保持すべき無線ＬＡＮ通信システム状態情報であると判断した場合、無線ＬＡＮ通信システム状態情報保持回路３３５に保持されている無線ＬＡＮ通信システム状態情報と異なるか否かを判断する（ステップＳ３０）。無線ＬＡＮ通信システム状態情報保持回路３３５に保持されている無線ＬＡＮ通信システム状態情報と同じである場合は、無線ＬＡＮ通信システム状態情報保持回路３３５に保持されている無線ＬＡＮ通信システム状態情報を更新することなくデータパケットを無線送信する（ステップＳ２０）。また、無線ＬＡＮ通信システム状態情報保持回路３３５に保持されている無線ＬＡＮ通信システム状態情報と異なる場合、無線ＬＡＮ通信システム状態情報保持回路３３５に保持されている情報を、有線区間２００から入力されたデータパケットに含まれる無線ＬＡＮ通信システム状態情報に更新し、データパケットを無線送信する（ステップＳ３５）。
【００２０】
一方、無線アクセスポイント装置３００において、無線ＬＡＮ通信システム状態情報を周期的に繰り返し送信する装置内部イベントが発生した場合（ステップＳ５０）、無線ＬＡＮ通信システム状態情報保持回路３３５に保持されている無線ＬＡＮ通信システム状態情報を読み出し（ステップＳ５５）、この読み出した無線ＬＡＮ通信システム状態情報を無線パケットとして無線区間に送信する（ステップＳ６０）。この結果、無線ＬＡＮ通信システム状態情報を含む無線パケットに無線伝送誤りを生じた場合でも、無線ＬＡＮ通信システム状態情報は周期的に無線パケットとして繰り返し送信される再送制御が行われるため、無線ＬＡＮ通信システム状態情報を無線パケット通信端末４００へ確実に伝送できる。
【００２１】
上記実施の形態によれば、無線ＬＡＮ通信システムにおける無線アクセスポイント装置３００は、接続された有線区間２００から入力されたデータパケットのうち、無線ＬＡＮ通信システム状態情報を含むデータパケットを認識し、この無線ＬＡＮ通信システム状態情報が無線パケット通信端末４００へ繰り返し送出すべき無線ＬＡＮ通信システム状態情報であると判定した場合に、該無線ＬＡＮ通信システム状態情報を装置内部に保持する。そして、内部に保持している無線ＬＡＮ通信システム状態情報を、データパケットとして無線区間に対して一定タイミング毎に繰り返し送信することにより、無線パケットに誤りが生じた場合でも、再送制御により、無線ＬＡＮ通信システム状態情報を無線パケット通信端末４００へ確実に伝送することができる。
さらに、無線アクセスポイント装置３００は、有線区間２００から入力されたデータパケットに含まれる無線ＬＡＮ通信システム状態情報が、自身が内部に保持している無線ＬＡＮ通信システム状態情報と異なっている場合、この内部に保持している無線ＬＡＮ通信システム状態情報を、有線区間２００から入力されたデータパケットに含まれる無線ＬＡＮ通信システム状態情報に更新することにより、最新の無線ＬＡＮ通信システム状態情報を内部に保持し、無線パケット通信端末４００へ送出することができる。
【００２２】
以上、本発明の実施の形態について説明したが、無線アクセスポイント装置３００の無線ＬＡＮ通信システム状態情報判別回路３２５、無線ＬＡＮ通信システム状態情報比較回路３３０、無線ＬＡＮ通信システム状態情報保持回路３３５、及び、無線ＬＡＮ通信システム状態情報送信制御回路３４０は、専用のハードウェアにより実現されるものであってもよく、また、メモリおよびＣＰＵ（中央処理装置）により構成され、各回路の機能を実現するためのプログラム（図示せず）をメモリのロードして実行することによりその機能を実現させるものであってもよい。また、無線アクセスポイント装置３００の無線ＬＡＮ通信システム状態情報判別回路３２５、無線ＬＡＮ通信システム状態情報比較回路３３０、無線ＬＡＮ通信システム状態情報保持回路３３５、及び、無線ＬＡＮ通信システム状態情報送信制御回路３４０の機能を実現するためのプログラムをコンピュータ読み取り可能な記録媒体に記録して、この記録媒体に記録されたプログラムをコンピュータシステムに読み込ませ、実行することにより、無線アクセスポイント装置３００の無線ＬＡＮ通信システム状態情報判別回路３２５、無線ＬＡＮ通信システム状態情報比較回路３３０、無線ＬＡＮ通信システム状態情報保持回路３３５、及び、無線ＬＡＮ通信システム状態情報送信制御回路３４０の各処理を行ってもよい。なお、ここでいう「コンピュータシステム」とは、ＯＳや周辺機器等のハードウェアを含むものとする。
【００２３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの（伝送媒体ないしは伝送波）、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるもの、いわゆる差分ファイル（差分プログラム）であっても良い。
【図面の簡単な説明】
【００２４】
【図１】本発明の一実施の形態による無線ＬＡＮ通信システムの構成を示すブロック図である。
【図２】同実施の形態による無線パケット通信方法の処理手順の流れ図である。
【図３】従来の無線ＬＡＮ通信システムの構成を示すブロック図である。
【符号の説明】
【００２５】
１００…システム制御装置
２００…有線区間
３００…無線アクセスポイント装置
３０５…制御回路
３１０…有線区間接続端子
３１５…有線区間インタフェース回路
３２０…無線データ処理回路
３２５…無線ＬＡＮ通信システム状態情報判別回路（パケット認識手段、判定手段）
３３０…無線ＬＡＮ通信システム状態情報比較回路（情報更新手段）
３３５…無線ＬＡＮ通信システム状態情報保持回路（情報保持手段）
３４０…無線ＬＡＮ通信システム状態情報送信制御回路（送信手段）
３４５…無線インタフェース回路
３５０…無線送受信機
３５５…アンテナ
４００…無線パケット通信端末
【図１】
2005167776.tif 000003
【図２】
2005167776.tif 000004
【図３】
2005167776.tif 000005